(57)【要約】【課題】構造体に対する施工性の向上を図ること。【解決手段】インターホン装置１は、筐体２と、通話部と、基板４と、を備える。通話部は、他の通話装置と通話を行う。基板４は、筐体２の内部に配置される。基板４には、通話部を構成する回路部品４０の少なくとも一部が実装される。筐体２は、筐体２を構造体に固定するための第１貫通孔（２１Ａ、２１Ｂ）を有している。基板４は、その厚み方向に貫通する通し孔４１を有している。通し孔４１は、上記厚み方向から見たときに、第１貫通孔（２１Ａ、２１Ｂ）の開口領域の少なくとも一部と重なっている。【選択図】図７
2019087899.tif 000002
【特許請求の範囲】
【請求項１】
筐体と、
他の通話装置と通話を行う通話部と、
前記筐体の内部に配置され、前記通話部を構成する回路部品の少なくとも一部が実装される基板と、
を備え、
前記筐体は、前記筐体を構造体に固定するための貫通孔を有し、
前記基板は、その厚み方向に貫通する通し孔を有し、
前記通し孔は、前記厚み方向から見たときに、前記貫通孔の開口領域の少なくとも一部と重なっている
インターホン装置。
【請求項２】
前記筐体は、前記貫通孔である第１貫通孔に加えて、前記筐体を前記構造体である第１構造体とは別の第２構造体に固定するための第２貫通孔を、更に有している
請求項１に記載のインターホン装置。
【請求項３】
前記筐体は、前記第１貫通孔を一対、前記第２貫通孔を一対、それぞれ有し、
前記一対の第１貫通孔は、第１方向において、互いに所定の距離を空けて配置され、
前記一対の第２貫通孔は、前記第１方向と直交する第２方向において、互いに前記所定の距離を空けて配置されている
請求項２に記載のインターホン装置。
【請求項４】
前記筐体は、前記筐体を前記第１構造体及び前記第２構造体とは別の第３構造体に固定するための第３貫通孔を、更に有している
請求項２又は３に記載のインターホン装置。
【請求項５】
前記第２貫通孔は、前記基板の周囲の領域に配置されている
請求項２〜４のいずれか１項に記載のインターホン装置。
【請求項６】
前記筐体は、前記貫通孔を複数有し、
前記複数の貫通孔のうち少なくとも１つは、
第１の径を有した第１孔部と、
前記第１孔部とつながって形成されていて前記第１の径よりも小さい第２の径を有した第２孔部と
を有しているダルマ形状の貫通孔である
請求項１〜５のいずれか１項に記載のインターホン装置。
【請求項７】
前記複数の貫通孔のうち、前記ダルマ形状の貫通孔以外の少なくとも１つの貫通孔は、
前記ダルマ形状の貫通孔の貫通方向から見たときに、前記第２孔部の中心を回転軸とした回転軌道に沿って延びている形状である
請求項６に記載のインターホン装置。
【請求項８】
前記筐体は、前記構造体と対向する側の一面において、前記貫通孔の周囲に、前記構造体から離れる向きに凹んだ凹部を有し、
前記凹部には、配線接続用の端子、及び配線を収容するための配線収容部が設けられている
請求項１〜７のいずれか１項に記載のインターホン装置。
【請求項９】
前記貫通孔の開口領域のうち少なくとも一部は、前記凹部内に配置されている
請求項８に記載のインターホン装置。
【請求項１０】
請求項１〜９のいずれか１項に記載のインターホン装置と、前記インターホン装置と通話可能な前記通話装置と、を備える
インターホンシステム。
【発明の詳細な説明】
【技術分野】
【０００１】
本発明は、一般に、インターホン装置、及びインターホンシステムに関し、より詳細には、構造体（例えばスイッチボックス等）に固定されるインターホン装置、及び当該インターホン装置を備えたインターホンシステムに関する。
【背景技術】
【０００２】
従来例として、特許文献１に記載のインターホン装置の玄関子機を例示する。この玄関子機は、前ケースと後ケースとを組み立ててなる本体ケース内にカメラを内蔵しているとともに、スピーカ部や呼出ボタン、マイク部等を、備えている。そして、玄関子機は、居室内に設置された親機との間で通話可能に構成されている。また、通話時には、カメラにて来訪者等を撮像し、当該撮像データを親機へ送信可能となっている。
【０００３】
また、玄関子機の本体ケース内には、撮像映像を処理する映像処理回路を組み付けた回路基板等が収容されている。そして、後ケースは、壁面等に設置される取付台に取り付け可能に構成されている。
【先行技術文献】
【特許文献】
【０００４】
【特許文献１】特開２００８−２０５９３４号公報
【発明の概要】
【発明が解決しようとする課題】
【０００５】
ところで、特許文献１に記載の玄関子機では、後ケースを壁面に取り付けるためには、後ケースとは別に取付台が必要とされる。そのため、玄関子機を、本体ケースよりも比較的小さい構造体（例えば壁面に埋め込まれた１個用スイッチボックス）に対して、取付台を用いずに直接固定することは困難であった。したがって、取付台を構造体にねじ止め固定してから、玄関子機を取付台に取り付けるという手間が発生するものであった。
【０００６】
本発明は上記事由に鑑みてなされ、構造体に対する施工性の向上を図ることができるインターホン装置、及びインターホンシステムを提供することを目的とする。
【課題を解決するための手段】
【０００７】
本発明の一態様に係るインターホン装置は、筐体と、通話部と、基板と、を備える。前記通話部は、他の通話装置と通話を行う。前記基板は、前記筐体の内部に配置される。前記基板には、前記通話部を構成する回路部品の少なくとも一部が実装される。前記筐体は、前記筐体を構造体に固定するための貫通孔を有している。前記基板は、その厚み方向に貫通する通し孔を有している。前記通し孔は、前記厚み方向から見たときに、前記貫通孔の開口領域の少なくとも一部と重なっている。
【０００８】
本発明の一態様に係るインターホンシステムは、上記のインターホン装置と、当該インターホン装置と通話可能な前記通話装置と、を備える。
【発明の効果】
【０００９】
本発明は、構造体に対する施工性の向上を図ることができる、という利点がある。
【図面の簡単な説明】
【００１０】
【図１】図１は、一実施形態に係るインターホン装置、及び第１構造体の斜視図であって、当該インターホン装置の化粧パネルが取り外された状態を示す図である。
【図２】図２Ａは、同上のインターホン装置の正面図であり、図２Ｂは、同上のインターホン装置の下面図である。
【図３】図３は、一実施形態に係るインターホンシステムの概略構成図である。
【図４】図４は、同上のインターホン装置の上方から見た分解斜視図である。
【図５】図５は、同上のインターホン装置の下方から見た分解斜視図である。
【図６】図６は、同上のインターホン装置の背面図である。
【図７】図７は、同上のインターホン装置の正面図であって、化粧パネル及びカバーの図示を省略した図である。
【図８】図８は、図１のＸ−Ｘ線断面図である。
【図９】図９は、同上のインターホン装置の正面図であって、化粧パネルが取り外された状態で第１構造体に固定されたときの図である。
【図１０】図１０は、同上のインターホン装置の正面図であって、化粧パネルが取り外された状態で第２構造体に固定されたときの図である。
【図１１】図１１は、同上のインターホン装置の正面図であって、化粧パネルが取り外された状態で第３構造体に固定されたときの図である。
【図１２】図１２は、同上のインターホン装置の正面図であって、第１貫通孔の開口形状を説明するための図である。
【図１３】図１３は、図１のＹ−Ｙ線断面図である。
【発明を実施するための形態】
【００１１】
（１）概要
以下の実施形態は、本発明の様々な実施形態の一つに過ぎない。以下の実施形態は、本発明の目的を達成できれば、設計等に応じて種々の変更が可能である。また、以下の実施形態において説明する図１〜図１３は、模式的な図であり、図１〜図１３中の各構成要素の大きさや厚さそれぞれの比が、必ずしも実際の寸法比を反映しているとは限らない。
【００１２】
以下では、本実施形態のインターホン装置１の上下、左右、前後の方向を、図１、図４及び図５に図示されている上下、左右、前後の矢印を用いて規定して説明する。これらの矢印は、単に説明を補助する目的で記載しているに過ぎず、実体を伴わない。また、これらの方向は、インターホン装置１の使用方向を限定する趣旨ではない。
【００１３】
本実施形態のインターホン装置１は、図４及び図５に示すように、筐体２と、通話部３（図３参照）と、基板４と、を備えている。通話部３は、図３に示すように、他の通話装置１０と通話を行うように構成されている。基板４は、筐体２の内部に配置され、基板４には、通話部３を構成する複数の回路部品４０（図４及び図７参照）の少なくとも一部が実装される。筐体２は、図１及び図９に示すように、筐体２を第１構造体（構造体）２００Ａに固定するための一対の第１貫通孔２１を有している。基板４は、その厚み方向（前後方向）に貫通する通し孔４１（図４参照）を一対有している。各通し孔４１は、上記厚み方向から見たときに、対応する第１貫通孔２１の開口領域の少なくとも一部と重なっている。
【００１４】
なお、本実施形態では、第１構造体２００Ａは、一例として、ＪＩＳ  Ｃ  ８４３５における１個用のスイッチボックスの規格を満たすものであり、図１に示すように、壁面５００に埋め込み配置された構造体であることを想定している。また、後述される第２構造体２００Ｂ及び第３構造体２００Ｃも、一例として、ＪＩＳで規格化され、壁面５００に埋め込み配置される２個用、及び３個用のスイッチボックスであることを想定する。ただし、第１〜第３構造体２００Ａ〜２００Ｃは、スイッチボックスに限定されず、造営材（例えば壁材）であってもよい。例えば、筐体２は、木ねじ等で壁面に直接固定されてもよい。
【００１５】
この構成によれば、基板４が通し孔４１を有している。そのため、例えば筐体２の上下の長さ寸法、左右の幅寸法よりも比較的小さい第１構造体２００Ａに対して、特許文献１のような取付台を用いなくても、第１貫通孔２１及び通し孔４１を通して、インターホン装置１を直接的にねじ止めすることができる。したがって、構造体に対する施工性の向上を図ることができる。
【００１６】
なお、本実施形態では、筐体２は、カバー２Ａとベース２Ｂとから構成されている。そして、カバー２Ａとベース２Ｂとが合わさったときに、カバー２Ａのカバー孔２１００とベース２Ｂのベース孔２１０１とが互いにつながり、１つの第１貫通孔２１が構成されている（図８参照）。
【００１７】
ところで、筐体２は、一対の第１貫通孔２１に加えて、第２構造体２００Ｂに固定するための４つの貫通孔、並びに、第３構造体２００Ｃに固定するための４つの貫通孔、を更に有している。以下では、説明の便宜上、第２構造体２００Ｂに対応する筐体２の貫通孔を「第２貫通孔２２」と呼び、第３構造体２００Ｃに対応する筐体２の貫通孔を「第３貫通孔２３」と呼ぶ。しかし、第２貫通孔が第３構造体２００Ｃに対応する貫通孔で、第３貫通孔が第２構造体２００Ｂに対応する貫通孔であってもよい。
【００１８】
（２）詳細
（２．１）全体構成
以下、本実施形態のインターホン装置１、及びインターホン装置１を備えるインターホンシステム１００の全体構成について説明する。本実施形態では、一例として、インターホンシステム１００が、マンション等の集合住宅に適用される集合住宅用のインターホンシステムであることを想定するが、特に限定されるものではない。インターホンシステム１００の適用対象は、例えば、戸建住宅であってもよいし、工場、病院、オフィスビル等の非住宅であってもよい。
【００１９】
インターホンシステム１００は、図３に示すように、インターホン装置１、及び、伝送路Ｓ１を介してインターホン装置１と通話可能な通話装置１０を備えている。
【００２０】
ここでは、インターホン装置１が、一例として、集合住宅の各住戸の外玄関に設置されているインターホン子機（ドアホン子機）であることを想定する。また、通話装置１０は、一例として、対応する住戸の居室内に設置されたインターホン親機であることを想定する。インターホンシステム１００は、集合住宅のロビーに設置される共用端末であるロビーインターホン（不図示）を更に備えてもよい。ロビーインターホンは、例えば、幹線を通じて各住戸のインターホン親機である通話装置１０と通話可能である。なお、インターホン装置１の筐体２及び基板４の構造は、インターホン親機である通話装置１０に適用されてもよいし、ロビーインターホンに適用されてもよい。
【００２１】
（２．２）インターホン装置
以下、インターホン装置１について説明する。インターホン装置１は、上の「（１）概要」の欄で説明したように、筐体２と、通話部３（図３参照）と、矩形板状の基板４と、を備えている。また、インターホン装置１は、化粧パネル５と、端子ブロック６と、機能部９１と、を有している。筐体２と基板４と化粧パネル５については、この欄では説明を省略して、後の欄で詳しく説明する。
【００２２】
通話部３は、図３に示すように、撮像部３０と、通信部３１と、制御部３２と、操作部３３と、を備えている。また、通話部３は、通話装置１０との間で通話を実現するためのマイク部８及びスピーカ９０（図７参照）等を更に備えている。
【００２３】
撮像部３０は、図３に示すように、撮像素子３００と、レンズ３０１と、台座３０３（図４参照）と、を有している。撮像部３０は、人等の被写体を撮像するためのカメラである。そのため、人がインターホン装置１を操作する際に少なくとも人の顔が画像に写り込むように、撮像部３０の撮像エリア（視野）はインターホン装置１の前方に設定される。レンズ３０１は、その前面が筐体２から露出する。台座３０３は、レンズ３０１を支持するように筐体２のカバー２Ａの背面にねじ止めされている。
【００２４】
本実施形態では、撮像部３０は、動画を撮像するカメラであることを想定するが、撮像部３０は、静止画を撮像するカメラ（スチルカメラ）であってもよい。また、本実施形態では、撮像部３０は、カラー画像を撮像するカラーカメラであると仮定するが、撮像部３０は、モノクローム画像を撮像するモノクロームカメラであってもよい。撮像素子３００は、例えば、ＣＣＤ（Charge Coupled Devices）イメージセンサ、又はＣＭＯＳ（Complementary Metal-Oxide Semiconductor）イメージセンサ等の二次元イメージセンサである。撮像部３０は、被写体からの光をレンズ３０１によって撮像素子３００の撮像面（受光面）上に結像させ、撮像素子３００にて被写体からの光を電気信号（画像信号）に変換する。そのため、撮像部３０で撮像した画像は、撮像部３０から画像信号として通話装置１０に送信される。
【００２５】
撮像部３０の撮像素子３００が実装される制御基板等（台座３０３の裏側に配置）は、基板４に実装されている。具体的には、制御基板等は、基板４の一面（前面４５）のうち上部にある第１領域４５１（図７参照）における左右方向の中央に配置されている。なお、以下の説明では、図７に示すように、基板４の前面４５を、上下方向において、３つの領域に分割し、上から順に、第１領域４５１、第２領域４５２、第３領域４５３と規定する。第１領域４５１の上下方向における寸法は、第３領域４５３の上下方向における寸法と概ね同じである。上下方向の中央にある第２領域４５２の上下方向における寸法は、第１領域４５１の上下方向における寸法の約４倍である。
【００２６】
通信部３１は、通話装置１０と通信するための通信インターフェースである。通信部３１は、例えばツイストペア線等からなる２線式の伝送路Ｓ１（図３では１本の線で示す）を介して、通話装置１０と電気的に接続されている。通信部３１は、撮像部３０で撮像した画像の画像信号を通話装置１０に送信する。さらに、インターホン装置１と通話装置１０との間で音声信号及び制御信号が双方向に伝送可能となるよう、通信部３１は、通話装置１０との間で双方向に通信可能に構成されている。
【００２７】
通信部３１は、通話装置１０から受信したデジタルの音声信号をアナログの音声信号に変換（復調）する。復調された音声信号は、スピーカ９０から出力される。また、マイク部８にて集音された音声は、マイク部８からアナログの音声信号として通信部３１に入力され、デジタルの音声信号に変換されて通話装置１０へ送信される。
【００２８】
スピーカ９０、及びマイク部８のマイクロホンは、基板４に実装されている。具体的には、スピーカ９０は、第２領域４５２における上下、左右方向における略中心に配置されている。マイク部８のマイクロホンは、基板４の第１領域４５１における右端、すなわち、撮像部３０の台座３０３の右隣りに配置されている。マイク部８のマイクロホンは、表面実装型のマイクロホンである。
【００２９】
操作部３３は、押し釦スイッチ、及び当該押し釦スイッチの前方に配置された操作部材３３０（図４参照）を有しており、来訪者から呼び出しのための操作を受け付ける。操作部材３３０に対して所定の操作（例えば押操作）がされると、押し釦スイッチが押し込まれて、インターホン装置１は、住戸内の居住者を呼び出すための制御信号（呼出信号）を、通信部３１から通話装置１０へ送信する。
【００３０】
操作部３３の押し釦スイッチ等は、基板４に実装されている。具体的には、操作部３３の押し釦スイッチ等は、基板４の第３領域４５３に配置されている。操作部材３３０は、基板４の第３領域４５３と対向するように配置され、筐体２のカバー２Ａと基板４との間で、来訪者からの押操作に応じて後方へ変位可能に保持されている。
【００３１】
制御部３２は、撮像部３０、通信部３１、及び操作部３３等を制御するように構成されている。制御部３２は、例えばＣＰＵ（Central Processing Unit）及びメモリを主構成とするマイクロコンピュータで構成されている。そして、ＣＰＵがメモリに格納されているプログラムを実行することにより、マイクロコンピュータが制御部３２として機能する。ＣＰＵが実行するプログラムは、ここではマイクロコンピュータのメモリに予め記録されているが、メモリカード等の記録媒体に記録されて提供されてもよいし、インターネット等の電気通信回線を通じて提供されてもよい。
【００３２】
通信部３１及び制御部３２を構成する回路部品は、基板４に実装されている。具体的には、通信部３１及び制御部３２を構成する回路部品は、概ね基板４の第１領域４５１及び第２領域４５２に配置されている。特に、電解コンデンサや通信用のトランス等の比較的大きい回路部品は、第２領域４５２に配置され、上記のマイクロコンピュータ等は、第１領域４５１における撮像部３０の近傍に配置されている。詳細な説明は省略するが、通話部３は、この他にも、撮像部３０で撮像された画像を記録し、各種の設定パラメータを記録する、データの書き換えが可能な不揮発性メモリを有していてもよい。
【００３３】
端子ブロック６は、複数の端子を有しており、スイッチボックスである第１構造体２００Ａ内の上部から延び出ている複数の接続線Ｌ１（図１参照）が接続される。接続線Ｌ１が端子ブロック６に接続されることで伝送路Ｓ１が形成され、インターホン装置１が、住戸内の通話装置１０と電気的に接続される。また、接続線Ｌ１が端子ブロック６に接続されることで、インターホン装置１が、住戸内の感知器等（例えば熱感知器）と電気的に接続される。
【００３４】
端子ブロック６は、基板４に実装されている。具体的には、端子ブロック６は、図５に示すように、基板４の背面４６に実装されている。端子ブロック６は、長尺の直方体形状となっていて、その長手方向が上下方向に沿うように配置されている。端子ブロック６は、前方向から見たときに、第２領域４５２の投影領域内におけるスピーカ９０の左隣りに位置する。
【００３５】
機能部９１は、図２Ａ及び図４に示すように、コネクタ９１０、及びコネクタ９１０の前方に開閉可能に配置された扉９１１等を有している。また、機能部９１は、図４及び図７に示すように、コネクタ９１０の不使用時にコネクタ９１０の前面を覆う、例えばゴム製のキャップ９１３を有している。コネクタ９１０には、例えば、住戸外から住戸内の遠隔試験機能付きの感知器の試験を行うための外部試験器のプラグが差し込まれる。
【００３６】
機能部９１のコネクタ９１０は、基板４に実装されている。具体的には、コネクタ９１０は、基板４の第１領域４５１における左端、すなわち、撮像部３０の台座３０３の左隣りに配置されている。なお、扉９１１は、コネクタ９１０と対向するように筐体２のカバー２Ａに保持されている。
【００３７】
本実施形態では、例えば、撮像部３０の部品、スピーカ９０、マイク部８のマイクロホン、操作部３３の押し釦スイッチ、並びに通信部３１及び制御部３２の回路部品が、通話部３を構成する複数の回路部品４０に相当する。そして、通話部３を構成するこれらの回路部品４０は、全て、１枚の基板４に実装されている。そのため、複数の回路部品４０が例えばメイン基板とサブ基板とに分散される場合に比べて、実装基板の数を減らすことができ、部品点数の削減を図ることができる。
【００３８】
ただし、通話部３を構成するこれらの回路部品４０の全てが、１枚の基板４に実装されていることは、インターホン装置１において必須ではない。基板４以外に例えばサブ基板が設けられていて、これらの回路部品４０が、基板４とサブ基板の２枚に分散して実装されていてもよい。また、サブ基板は、複数設けられていてもよい。ただし、少なくとも通信部３１及び制御部３２を構成する回路部品の少なくとも一部が基板４に実装されていることが望ましい。
【００３９】
なお、回路部品４０のうち、第２領域４５２の左上に実装されているスイッチ４０Ａ（図７Ａ参照）は、撮像部３０で撮像されて通話装置１０（インターホン親機）のディスプレイで表示される表示範囲を、インターホン装置１側で調整するためのスイッチである。スイッチ４０Ａは、筐体２のカバー２Ａに設けられている露出部４０Ｂ（図４参照）から、カバー２Ａの外部に露出する。スイッチ４０Ａは、左右方向に沿って左位置、中央位置、及び右位置へ切り替え可能となっている。スイッチ４０Ａの切り替え位置に応じて、通話装置１０のディスプレイで表示可能な範囲が、左、中央、及び右に切り替えられる。
【００４０】
（２．３）基板
基板４は、例えば上下方向に長尺の矩形状のプリント配線板である。基板４の表面には回路パターン（導体パターン）が形成されている。上述した通り、基板４には、通話部３を構成する複数の回路部品４０や、端子ブロック６、機能部９１が実装されている。基板４は、筐体２内で保持されている。
【００４１】
本実施形態の基板４は、図７に示すように、その厚み方向に貫通している一対の通し孔４１を有している。各通し孔４１は、上記厚み方向から見たときに、筐体２の対応する第１貫通孔２１の開口領域の少なくとも一部と重なっている。言い換えると、各通し孔４１は、前後方向から見たときに、その開口領域内において、第１貫通孔２１の開口領域の一部又は全部と重なるように形成されている。本実施形態では、各通し孔４１の開口領域は、対応する第１貫通孔２１の開口領域よりも大きく、第１貫通孔２１の開口領域の全部と重なる。具体的には、各通し孔４１の開口領域は、筐体２のカバー２Ａにおいて対応する第１貫通孔２１の周縁に沿って突出している筒状体が当該通し孔４１内に収まるように形成されている（図８参照：図８の例では筒状体２１７）。
【００４２】
一対の通し孔４１は、図７に示すように、いずれも概ね基板４の第２領域４５２内に配置されている。具体的には、上側の通し孔４１は、第２領域４５２内の上部における左右方向の中央に配置されている（一部、第１領域４５１内に延出している）。以下では、上側の通し孔４１を「通し孔４１Ａ」と呼ぶこともある（図５参照）。通し孔４１Ａは、概ね、開口形状が上下方向に長いレーストラック形状の長孔であり、その一部（上部）が矩形状に開放されている（図５参照）。下側の通し孔４１は、第２領域４５２内の下部における左右方向の中央に配置されている。以下では、下側の通し孔４１を「通し孔４１Ｂ」と呼ぶこともある（図５参照）。通し孔４１Ｂは、開口形状が左右方向に長いレーストラック形状の長孔である。
【００４３】
一対の通し孔４１は、第２領域４５２内で、上下方向において、スピーカ９０がそれらの間に位置するように設けられている。また、一対の通し孔４１は、第２領域４５２内で、上下方向において、端子ブロック６の投影領域がそれらの間に位置するように設けられている。なお、基板４の表面に設けられている回路パターンは、一対の通し孔４１を避けるように形成されている。
【００４４】
また、基板４は、図７に示すように、その左右の両縁に、筐体２のベース２Ｂにおけるレーストラック形状の８つの筒状体（２５６、２５７）を、それぞれ一対一で受けるための８つの凹所を有している。８つの凹所は、４つの筒状体２５６に対応する４つの凹所４２と、４つの筒状体２５７に対応する４つの凹所４３とを有する。
【００４５】
４つの凹所４２は、基板４の第２領域４５２の左右両縁において、それぞれ２つずつ配置されている。４つの凹所４２は、基板４の上下方向における中心近傍に位置する。各凹所４２は、前後方向から見たときに、レーストラック形状の筒状体２５６の縁の形に沿った略Ｊ字状に基板４の内側に凹んでいる。上側２つの凹所４２は、その円弧状の部分が上側を向くように、下側２つの凹所４２は、その円弧状の部分が下側を向くように、形成されている。すなわち、４つの凹所４２は、第２領域４５２の左右方向における中心軸に対して左右対称となるように、また、第２領域４５２の上下方向における中心軸に対して上下対称となるように形成されている。
【００４６】
一方、４つの凹所４３は、基板４の第１領域４５１と第２領域４５２との境目の左右両縁、並びに、基板４の第２領域４５２と第３領域４５３との境目の左右両縁に、それぞれ配置されている。具体的には、基板４の左右両縁の各々において、２つの凹所４３の間に２つの凹所４２が位置し、２つの凹所４２の間に基板４の上下方向における中心が位置する。各凹所４３は、前後方向から見たときに、レーストラック形状の筒状体２５７の縁の形に沿った略Ｊ字状に基板４の内側に凹んでいる。上側２つの凹所４３は、その円弧状の部分が上側を向くように、下側２つの凹所４３は、その円弧状の部分が下側を向くように、形成されている。すなわち、４つの凹所４３は、第２領域４５２の左右方向における中心軸に対して左右対称となるように、また、第２領域４５２の上下方向における中心軸に対して上下対称となるように形成されている。
【００４７】
更に、基板４は、図７に示すように、上下両縁の各々における左右両端寄りの位置に、基板４の内側に向かって半円状に凹んだ一対の受部４４を有している（合計４つ）。
【００４８】
（２．４）筐体
（２．４．１）筐体の全体構成
筐体２は、図１に示すように、全体として上下方向に長尺でへん平な矩形箱状となっている。筐体２は、例えば合成樹脂等の材料によって形成されている。そして、筐体２は、図４及び図５に示すように、後面が開放された矩形箱状のカバー２Ａと、カバー２Ａによって覆われる矩形板状のベース２Ｂと、から構成されている。
【００４９】
（２．４．２）カバー
カバー２Ａは、図１に示すように、矩形板状の本体部２００と、本体部２００の上縁から後方に突き出る上側壁２０１と、本体部２００の下縁から後方に突き出る下側壁２０２と、を有している。さらに、カバー２Ａは、図１に示すように、本体部２００の右縁から後方に突き出る右側壁２０３と、本体部２００の左縁から後方に突き出る左側壁２０４と、を有している。
【００５０】
本体部２００は、その前面の上部において、前方に向かって突出する第１突出台２１０を有している。第１突出台２１０は、前後方向から見たときに、矩形状となっている。第１突出台２１０は、その長手方向が左右方向に沿うように形成されている。第１突出台２１０は、前後方向から見たときに、基板４の第１領域４５１の投影領域と概ね重なる位置にある。第１突出台２１０は、左右方向における中央において、第１突出台２１０の平坦な前面から前方に向かって突出する第２突出台２１１を有している。
【００５１】
第２突出台２１１は、前後方向から見たときに、基板４の第１領域４５１に実装されている撮像部３０の投影領域と重なる位置にある。そして、第２突出台２１１は、本体部２００の厚み方向に貫通した窓孔２１２（図２Ａ参照）を有している。窓孔２１２は、本体部２００の背面側に配置されるレンズ３０１を筐体２の外部に露出させるための孔であり、その開口は円形状である。第２突出台２１１の前面は、前後方向から見たときに、矩形状であり、上下方向から見たときに、基板４から離れる方向に凸となるように円弧状に湾曲した湾曲面となっている。
【００５２】
第１突出台２１０は、その前面における第２突出台２１１の右隣りの領域に、上下方向に細長く延びているスリット２１３を有している。スリット２１３は、基板４の第１領域４５１に実装されているマイク部８のマイクロホンと対向するように配置されている。スリット２１３は、その内周縁において、下縁から基板４に向かって緩やかに傾斜する傾斜面を有した構造を持つ。そして、スリット２１３は、その上下方向における中央部のみが本体部２００の厚み方向に貫通していて、来訪者から発せられる音声は、スリット２１３を通じてマイク部８に集音される。
【００５３】
第１突出台２１０は、その前面における第２突出台２１１の左隣りの領域に、機能部９１の扉９１１が収容される扉収容凹部２１４（図４参照）を有している。扉収容凹部２１４は、その開口形状が矩形状であり、基板４に近づく向きに凹んでいる。扉収容凹部２１４は、その内底部に、本体部２００の厚み方向に貫通する孔２１４Ａを有しており、孔２１４Ａを通じて、基板４上のコネクタ９１０が露出される。扉９１１の下端部には、人の爪等で引っ掛けることが可能な切欠き９１２が形成されている。扉収容凹部２１４は、扉９１１がコネクタ９１０を外部に露出する位置まで（左右方向に沿った）回転軸を中心に回転できるように、扉９１１を軸支している。したがって、人の爪等を切欠き９１２に引っ掛けて扉９１１を手前に引っ張ることで、扉９１１が回転してコネクタ９１０が外部に露出される。
【００５４】
本体部２００は、図４に示すように、その前面の下部において、操作部３３の釦スイッチの前方に配置された操作部材３３０を露出する露出孔２１５を有している。露出孔２１５は、本体部２００の厚み方向に貫通する孔であり、その開口形状が矩形状となっている。本体部２００の背面における露出孔２１５の周縁部には、操作部材３３０の外周縁から突出するフランジ３３１を収めるための溝２４２（図５参照）が形成されている。また、露出孔２１５の左右両縁の上端には、互いに近づく向きに突出する一対の軸部２４３（図５参照）が設けられている。一方、操作部材３３０の背面側には、半円状に切り欠かれた軸受が形成されていて、当該軸受に軸部２４３が引っ掛けられた状態で、フランジ３３１が溝２４２に収容されている。したがって、操作部材３３０は、本体部２００の背面と基板４との間において、軸部２４３を中心軸として、来訪者等の人の押操作により後方へ押し下げされるように変位可能に本体部２００に支持されている。
【００５５】
本体部２００は、図１に示すように、その前面における左右及び上下方向の中心のやや右寄りの位置に、通音口２１６を有している。通音口２１６は、基板４の第２領域４５２に実装されているスピーカ９０と対向して配置されており、スピーカ９０からの音声を外部に通す。通音口２１６は、本体部２００の厚み方向に貫通している複数の孔部から構成されており、これらの孔部は、大、中、小の径を有する３つの同心円上に沿うように形成された円弧状の開口を有している。
【００５６】
本実施形態の筐体２は、上述の通り、２つの第１貫通孔２１を有している（図１参照）。２つの第１貫通孔２１は、上下方向に沿って並んでおり、以下では、上側の第１貫通孔２１を「第１貫通孔２１Ａ」と呼び、下側の第１貫通孔２１を「第１貫通孔２１Ｂ」と呼ぶこともある。各第１貫通孔２１は、カバー２Ａのカバー孔２１００（図８及び図１０参照）と、カバー孔２１００に対向する、ベース２Ｂのベース孔２１０１（図７及び図８参照）とが合わさって構成されている。以下、先にカバー孔２１００について説明する。
【００５７】
本体部２００は、カバー孔２１００を一対有している。すなわち、一対のカバー孔２１００のうち、上側のカバー孔２１００は、第１貫通孔２１Ａの一部に相当し、下側のカバー孔２１００は、第１貫通孔２１Ｂの一部に相当する。一対のカバー孔２１００は、前後方向から見たときに、基板４の第２領域４５２の投影領域内に配置されている。特に、各カバー孔２１００は、基板４の対応する通し孔４１の投影領域内に配置されている。
【００５８】
ここで、本体部２００は、その背面において、上下のカバー孔２１００の周縁をそれぞれ補強するように後方に突出する筒状体２１７、２１８（図５参照）を有している。上下のカバー孔２１００は、それぞれ、筒状体２１７、２１８を貫くように形成されていて、筒状体２１７、２１８の各々の前後方向における両端は、開口している。また、本体部２００は、図１０に示すように、その前面において、後方に向かってレーストラック形状に凹んだ一対の凹部２１９を有しており、各凹部２１９の底面に、上述したカバー孔２１００が形成されている。
【００５９】
具体的には、上側の凹部２１９は、その長軸が上下方向に沿うように配置され、上側の凹部２１９の底面に、ダルマ形状に貫通するカバー孔２１００が形成されている。ダルマ形状のカバー孔２１００は、その大径部と小径部とが上下方向に並ぶように配置されている。ダルマ形状のカバー孔２１００の開口面積は、対応する凹部２１９の開口面積よりも小さい。筒状体２１７（図５参照）は、この上側の凹部２１９及びダルマ形状のカバー孔２１００を構成するために、本体部２００の背面から突出するレーストラック形状の筒体と、ダルマ形状の筒体とが一体となって形成されている。
【００６０】
また、下側の凹部２１９は、その長軸が左右方向に沿うように配置されており、下側の凹部２１９の底面に、レーストラック形状に貫通するカバー孔２１００が形成されている。レーストラック形状のカバー孔２１００は、前後方向から見たときに、その長軸が対応する凹部２１９の長軸と一致するように配置されている。レーストラック形状のカバー孔２１００の開口面積は、対応する凹部２１９の開口面積よりも小さい。筒状体２１８（図５参照）は、この下側の凹部２１９及びレーストラック形状のカバー孔２１００を構成するために、本体部２００の背面から突出するレーストラック形状の筒体と、当該筒体より小さいレーストラック形状の筒体とが一体となって形成されている。
【００６１】
また、本実施形態の筐体２は、図１に示すように、４つの第２貫通孔２２を有している。各第２貫通孔２２は、カバー２Ａのカバー孔２２００（図９参照）と、カバー孔２２００に対向する、ベース２Ｂのベース孔２２０１（図６参照）とが合わさって構成されている。以下、先にカバー孔２２００について説明する。
【００６２】
本体部２００は、４つのカバー孔２２００を有している。４つのカバー孔２２００は、前後方向から見たときに、基板４の第２領域４５２の左右両縁に設けられている４つのＪ字状の凹所４２にそれぞれ一対一で対応するように、形成されている。言い換えると、４つのカバー孔２２００は、前後方向から見たときに、基板４の周囲の領域に配置されている。
【００６３】
ここで、本体部２００は、その背面において、４つのカバー孔２２００の周縁をそれぞれ補強するように後方に突出する４つの筒状体２２０（図５参照）を有している。各カバー孔２２００は、対応する筒状体２２０を貫くように形成されている。また、本体部２００は、図９に示すように、その前面において、後方に向かってレーストラック形状に凹んだ４つの凹部２２１を有しており、各凹部２２１の底面に、上述したカバー孔２２００が形成されている。
【００６４】
具体的には、本体部２００における上下方向の中心より上側にある２つの凹部２２１は、それらの長軸が上方に行くほど互いに近づくように、上下方向に対して傾斜して配置されている。また、本体部２００の上記中心より下側にある２つの凹部２２１は、それらの長軸が下方に行くほど互いに近づくように、上下方向に対して傾斜して配置されている。
【００６５】
そして、各凹部２２１の底面に、レーストラック形状に貫通するカバー孔２２００が形成されている。カバー孔２２００は、前後方向から見たときに、その長軸が対応する凹部２２１の長軸と一致するように配置されている。カバー孔２２００の開口面積は、対応する凹部２２１の開口面積よりも小さい。各筒状体２２０（図５参照）は、凹部２２１及びカバー孔２２００を構成するために、本体部２００の背面から突出するレーストラック形状の筒部と、当該筒部より小さいレーストラック形状の筒部とが一体となって形成されている。
【００６６】
更に、本実施形態の筐体２は、図１に示すように、４つの第３貫通孔２３を有している。各第３貫通孔２３は、カバー２Ａのカバー孔２３００（図９参照）と、カバー孔２３００に対向する、ベース２Ｂのベース孔２３０１（図６参照）とが合わさって構成されている。以下、先にカバー孔２３００について説明する。
【００６７】
本体部２００は、４つのカバー孔２３００を有している。４つのカバー孔２３００は、前後方向から見たときに、基板４の左右両縁に設けられている４つのＪ字状の凹所４３にそれぞれ一対一で対応するように、形成されている。言い換えると、４つのカバー孔２３００は、前後方向から見たときに、基板４の周囲の領域に配置されている。
【００６８】
ここで、本体部２００は、その背面において、４つのカバー孔２３００の周縁をそれぞれ補強するように後方に突出する４つの筒状体２３０（図５参照）を有している。各カバー孔２３００は、対応する筒状体２３０を貫くように形成されている。また、本体部２００は、その前面において、後方に向かってレーストラック形状に凹んだ４つの凹部２３１を有しており、各凹部２３１の底面に、上述したカバー孔２３００が形成されている。
【００６９】
具体的には、上側の２つの凹部２２１よりも上にある２つの凹部２３１は、それらの長軸が上方に行くほど互いに近づくように、上下方向に対して傾斜して配置されている。また、下側２つの凹部２２１よりも下にある２つの凹部２３１は、それらの長軸が下方に行くほど互いに近づくように、上下方向に対して傾斜して配置されている。
【００７０】
そして、各凹部２３１の底面に、レーストラック形状に貫通するカバー孔２３００が形成されている。カバー孔２３００は、前後方向から見たときに、その長軸が対応する凹部２３１の長軸と一致するように配置されている。カバー孔２３００の開口面積は、対応する凹部２３１の開口面積よりも小さい。筒状体２３０（図５参照）は、凹部２３１及びカバー孔２３００を構成するために、本体部２００の背面から突出するレーストラック形状の筒部と、当該筒部より小さいレーストラック形状の筒部とが一体となって形成されている。
【００７１】
本体部２００は、その前面において、化粧パネル５の背面から突出する６つの係止爪５５（図５参照）がそれぞれ一対一で係止する６つの係止溝２４０（図１及び図４参照）を有している。６つの係止溝２４０は、本体部２００の左右両縁の各々に、それぞれ３つずつ配置されていて、各縁の３つの係止溝２４０は、上端、下端、及び上下方向の中央の位置にある。
【００７２】
また、本体部２００は、その前面において、４つの穴部２４１（図１参照）を有している。４つの穴部２４１のうちの２つは、本体部２００の左右両縁の上端にある２つの係止溝２４０の下に位置し、残りの２つは、本体部２００の左右両縁の下端にある２つの係止溝２４０の上に位置している。各穴部２４１にねじ２Ｃが挿入されて穴部２４１の底にある貫通孔を通り、ベース２Ｂの四隅にあるねじ孔２４４（図４〜図６参照）にねじ込まれることで、カバー２Ａがベース２Ｂに組み付けられる。
【００７３】
本体部２００は、図２Ｂ及び図９に示すように、その前面の下縁における左右方向の中央の位置に、本体部２００から下側壁２０２にかけて後方に窪んだ窪み部２０５を有している。窪み部２０５内の下方に向く面には、ねじ孔２４６が設けられている（図９参照）。そして、化粧パネル５の背面における下部に突出している爪片５６（図２Ｂ及び図５参照）が窪み部２０５内に差し込まれた状態で、ねじ２Ｄが、爪片５６の先端にある切り欠き溝５７（図５参照）を通り、ねじ孔２４６にねじ込まれている。
【００７４】
本体部２００は、図５に示すように、その背面の左右両縁における上下方向の中心付近に、一対のボス２９０を有している。各ボス２９０の後端面にはねじ孔が形成されていて、ベース２Ｂの挿通孔２９１（図６参照）を通るねじ２Ｅがねじ込まれる。
【００７５】
また、本体部２００は、図５に示すように、その背面において、４つの筒状体２２０及び４つの筒状体２３０を連結して補強するための、略Ｕ字枠状のリブ２９２を有している。また、本体部２００は、図５に示すように、リブ２９２の内側における四隅の各々に、ボス２９３を有している。上側２つのボス２９３は、その後端面にそれぞれねじ孔を有しており、ベース２Ｂの背面にある穴部２９４から挿入されるねじ２Ｆ（図６参照）が、ボス２９３のねじ孔にねじ込まれる。一方、下側２つのボス２９３は、その（径が小さく形成された）先端部が、ベース２Ｂの前面にあるボス２９５の先端にある凹所に嵌入するように形成されている。このとき、基板４の四隅にある半円弧状に凹んだ受部４４の周縁が、ボス２９３とボス２９５との間に挟み込まれることで、基板４が、筐体２内で安定的に収容される。
【００７６】
下側壁２０２は、図２Ｂに示すように、筐体２内に入った水（例えば雨水等）を外部に排出するための４つの水抜き孔２０６を有している。４つの水抜き孔２０６は、左右方向に並んで配置されている。また、下側壁２０２は、４つの水抜き孔２０６より後方の位置に、一対の嵌入孔２０７を有している。一対の嵌入孔２０７は、ベース２Ｂの下縁から下方に突出する突出片２４９がそれぞれ一対一で嵌入するための孔である。
【００７７】
ところで、カバー２Ａは、図５及び図１３に示すように、その背面において、基板４を仮保持するための一対の爪部２０８を有している。一対の爪部２０８は、カバー２Ａの背面におけるリブ２９２の内側で、露出孔２１５の左右両縁の近傍に配置されている。各爪部２０８は、カバー２Ａの背面から後方に向かって、矩形板状に突出している。一対の爪部２０８の先端は、基板４との接触により互いに離れる方向に撓み、基板４がその先端を乗り越えると、弾性復帰により基板４の第３領域４５３の左右両縁に引っ掛かる。その結果、基板４の下部の後方への変位が規制されて、カバー２Ａに対する基板４の仮保持が達成される。そのため、インターホン装置１の製造時に、筐体２への基板４の組み付けが容易となる。
【００７８】
なお、基板４が仮保持された状態で、２本のねじ２Ｅと２本のねじ２Ｆとで、カバー２Ａとベース２Ｂとを固定（本固定）することで、基板４は、カバー２Ａとベース２Ｂとの間に挟まれるように安定的に保持される。
【００７９】
（２．４．３）ベース
ベース２Ｂは、図４〜図７及びに示すように、矩形板状に形成されている。ベース２Ｂは、その前面の左右の両縁近傍において、それぞれ、前方に向かって突出する一対の側片２５２を有している。各側片２５２は、左右方向から見て上下方向に細長い略矩形板状である。また、ベース２Ｂは、その前面の上縁近傍において、前方に向かって突出する上端片２５３を有している。上端片２５３の左右両端は、さらに下方に向かって突き出ており、上端片２５３は、前後方向から見て、略Ｕ字状の板状に形成されている。一対の側片２５２及び上端片２５３は、カバー２Ａがベース２Ｂを覆うように組み付けられたとき、カバー２Ａの上側壁２０１、右側壁２０３、及び左側壁２０４の内側に収まるように構成されている。
【００８０】
上の「（２．４．２）カバー」の欄で説明した通り、筐体２は２つの第１貫通孔２１を有していて、各第１貫通孔２１は、カバー２Ａのカバー孔２１００とベース２Ｂのベース孔２１０１とから構成されている。以下、ベース孔２１０１について説明する。
【００８１】
ベース２Ｂは、ベース孔２１０１を一対有している。上側のベース孔２１０１は、第１貫通孔２１Ａの一部に相当し、下側のベース孔２１０１は、第１貫通孔２１Ｂの一部に相当する。一対のベース孔２１０１は、前後方向から見たときに、図７に示すように、基板４の第２領域４５２の投影領域内に配置されている。特に、各ベース孔２１０１は、基板４の対応する通し孔４１の投影領域内に配置されている。
【００８２】
ベース２Ｂは、図４及び図７に示すように、その前面において、上下のベース孔２１０１の周縁をそれぞれ補強するように前方に僅かに突出するへん平な筒状体２５４、２５５を有している。上下のベース孔２１０１は、それぞれ、筒状体２５４、２５５を貫くように形成されている。
【００８３】
上側のベース孔２１０１の開口形状は、前後方向から見たときに、対向する上側のカバー孔２１００と略同形（ダルマ形）、同寸法を有している。上側のベース孔２１０１は、その大径部と小径部とが上下方向に並ぶように配置されている。なお、筒状体２５４も、前後方向から見たときに、このベース孔２１０１の周縁に沿ったダルマ形状の外縁を有している。
【００８４】
下側のベース孔２１０１の開口形状は、前後方向から見たときに、対向する下側のカバー孔２１００と略同形（レーストラック形）、同寸法を有している。下側のベース孔２１０１は、その長軸が左右方向に沿うように配置されている。なお、筒状体２５５も、前後方向から見たときに、このベース孔２１０１の周縁に沿ったレーストラック形状の外縁を有している。
【００８５】
ここで、筒状体２５４、２５５は、図４に示すように、その前端面において、後方に凹んだ嵌合溝２５４Ａ、２５５Ａを、それぞれ有している。嵌合溝２５４Ａは、前後方向から見たときに、ダルマ形状の筒状体２５４の開口縁の全周にわたって形成されている。嵌合溝２５５Ａは、前後方向から見たときに、レーストラック形状の筒状体２５５の開口縁の全周にわたって形成されている。
【００８６】
一方、カバー２Ａの筒状体２１７、２１８は、図５に示すように、その後端面（開口縁の端面）から後方に突出する凸状の嵌合突起２１７Ａ、２１８Ａを、それぞれ有している。嵌合突起２１７Ａは、前後方向から見たときに、ダルマ形状の筒状体２１７の開口縁の全周にわたって形成されている。嵌合突起２１８Ａは、前後方向から見たときに、レーストラック形状の筒状体２１８の開口縁の全周にわたって形成されている。
【００８７】
そして、筒状体２１７の嵌合突起２１７Ａが、筒状体２５４の嵌合溝２５４Ａに嵌合することで、カバー孔２１００とベース孔２１０１とが前後方向において１つに繋がり第１貫通孔２１Ａが構成される。また、基板４の通し孔４１Ａ内に、筒状体２１７及び筒状体２５４が配置される。要するに、第１貫通孔２１Ａは、前後方向から見たときに、通し孔４１Ａの投影領域内に配置される。
【００８８】
また、筒状体２１８の嵌合突起２１８Ａが、筒状体２５５の嵌合溝２５５Ａに嵌合することで、カバー孔２１００とベース孔２１０１とが前後方向において１つに繋がり第１貫通孔２１Ｂが構成される。また、基板４の通し孔４１Ｂ内に、筒状体２１８及び筒状体２５５が配置される。要するに、第１貫通孔２１Ｂは、前後方向から見たときに、通し孔４１Ｂの投影領域内に配置される。
【００８９】
筒状体２１７及び筒状体２５４は、上記の嵌合によって概ね隙間なく結合するため、防水パッキン等を用いなくても、筐体２内への水の浸入が抑制される。同様に、筒状体２１８及び筒状体２５５は、上記の嵌合によって概ね隙間なく結合するため、防水パッキン等を用いなくても、筐体２内への水の浸入が抑制される。
【００９０】
また、上の「（２．４．２）カバー」の欄で説明した通り、筐体２は４つの第２貫通孔２２を有していて、各第２貫通孔２２は、カバー２Ａのカバー孔２２００とベース２Ｂのベース孔２２０１とから構成されている。また、筐体２は４つの第３貫通孔２３を有していて、各第３貫通孔２３は、カバー２Ａのカバー孔２３００とベース２Ｂのベース孔２３０１とから構成されている。以下、ベース孔２２０１、２３０１について説明する。
【００９１】
ベース２Ｂは、４つのベース孔２２０１と４つのベース孔２３０１とを有している。４つのベース孔２２０１と４つのベース孔２３０１とは、前後方向から見たときに、基板４の左右両縁に設けられている４つのＪ字状の凹所４２と４つのＪ字状の凹所４３とに、それぞれ一対一で対応するように、形成されている。言い換えると、４つのベース孔２２０１及び４つのベース孔２３０１は、前後方向から見たときに、基板４の周囲の領域に配置されている。
【００９２】
ベース２Ｂは、その前面において、４つのベース孔２２０１と４つのベース孔２３０１の周縁をそれぞれ補強するように前方に突出するへん平な４つの筒状体２５６と４つの筒状体２５７（図７参照）とを有している。各ベース孔２２０１は、対応する筒状体２５６を貫くように形成されている。各ベース孔２３０１は、対応する筒状体２５７を貫くように形成されている。
【００９３】
各ベース孔２２０１の開口形状は、前後方向から見たときに、対向するカバー孔２２００と略同形（レーストラック形）、同寸法を有している。また、各ベース孔２３０１の開口形状は、前後方向から見たときに、対向するカバー孔２３００と略同形（レーストラック形）、同寸法を有している。
【００９４】
各ベース孔２２０１の長軸は、前後方向から見たときに、対向するカバー孔２２００の長軸と一致する。各筒状体２５６は、前後方向から見たときに、ベース孔２２０１の周縁に沿うように、レーストラック形状の外縁を有している。また、各ベース孔２３０１の長軸は、前後方向から見たときに、対向するカバー孔２３００の長軸と一致する。各筒状体２５７は、前後方向から見たときに、ベース孔２３０１の周縁に沿うように、レーストラック形状の外縁を有している。
【００９５】
ここで、筒状体２５６、２５７は、図７に示すように、その前端面において、後方に凹んだ嵌合溝２５６Ａ、２５７Ａを、それぞれ有している。嵌合溝２５６Ａ、２５７Ａは、前後方向から見たときに、それぞれ、レーストラック形状の筒状体２５６、２５７の開口縁の全周にわたって形成されている。
【００９６】
一方、カバー２Ａの４つの筒状体２２０は、図５に示すように、その後端面（開口縁の端面）から後方に突出する凸状の嵌合突起２２０Ａをそれぞれ有している。同様に、カバー２Ａの４つの筒状体２３０は、その後端面（開口縁の端面）から後方に突出する凸状の嵌合突起２３０Ａをそれぞれ有している。嵌合突起２２０Ａ、２３０Ａの各々は、筒状体２２０、２３０の開口縁の全周にわたって形成されている。
【００９７】
そして、筒状体２２０の嵌合突起２２０Ａが、筒状体２５６の嵌合溝２５６Ａに嵌合することで、カバー孔２２００とベース孔２２０１とが前後方向において１つに繋がり第２貫通孔２２が構成される。前後方向から見たときに、基板４のＪ字状の各凹所４２内に、対応する筒状体２２０及び筒状体２５６が収まる。また、筒状体２３０の嵌合突起２３０Ａが、筒状体２５７の嵌合溝２５７Ａに嵌合することで、カバー孔２３００とベース孔２３０１とが前後方向において１つに繋がり第３貫通孔２３が構成される。前後方向から見たときに、基板４のＪ字状の各凹所４３内に、対応する筒状体２３０及び筒状体２５７が収まる。筒状体２２０及び筒状体２５６、並びに筒状体２３０及び筒状体２５７は、上記の嵌合によって概ね隙間なく結合するため、防水パッキン等を用いなくても、筐体２内への水の浸入が抑制される。
【００９８】
ベース２Ｂは、図７に示すように、その前面において、４つの筒状体２５６及び４つの筒状体２５７を連結して補強するための、略Ｕ字枠状のリブ２５８を有している。リブ２５８は、その前端面において、後方に凹んだ嵌合溝２５８Ａを有している。嵌合溝２５８Ａは、リブ２５８の全周にわたって形成されている。嵌合溝２５８Ａは、４つの筒状体２５６の嵌合溝２５６Ａ、及び４つの筒状体２５７の嵌合溝２５７Ａと連通している。一方、カバー２ＡのＵ字枠状のリブ２９２は、嵌合溝２５８Ａに嵌合するための嵌合突起２９２Ａ（図５参照）を有している。嵌合突起２９２Ａは、４つの筒状体２２０の嵌合突起２２０Ａ、及び４つの筒状体２３０の嵌合突起２３０Ａと一体となって形成されている。
【００９９】
リブ２９２の嵌合突起２９２Ａが、リブ２５８の嵌合溝２５８Ａに嵌合することで、これらのリブ同士が互いに結合される。したがって、基板４は、リブ２９２及びリブ２５８によって囲まれた（概ね隙間のない）空間内に収容されることになり、防水パッキン等を用いなくても筐体２内、特に基板４が収容されている空間内への水の浸入が抑制される。
【０１００】
ベース２Ｂは、図７に示すように、リブ２５８の左右両側の下端部同士を一体的に繋ぐ突出壁２５９を有している。突出壁２５９は、左右方向に長く延びた矩形板状に形成されている。突出壁２５９は、カバー２Ａの下側壁２０２にある４つの水抜き孔２０６を通じて筐体２内へ進入した湿った空気（湯気等）が、基板４が収容されている空間内へ入り込むことを防ぐために設けられている。
【０１０１】
ここで、ベース２Ｂは、図６に示すように、その背面において、凹部２５０を有している。つまり、筐体２は、構造体（例えば第１構造体２００Ａ）と対向する側の背面において、凹部２５０を有している。凹部２５０は、一対の第１貫通孔２１の周囲に配置されており、凹部２５０は、構造体（例えば第１構造体２００Ａ）から離れる向き（前方）に凹んでいる。凹部２５０は、前後方向から見て、略矩形状の開口を有しており、ベース２Ｂの背面の約半分の領域を占めている。
【０１０２】
凹部２５０には、図６に示すように、複数の端子を有した端子ブロック６と、配線（接続線Ｌ１）を収容するための配線収容部２５１とが、設けられている。言い換えると、基板４の背面に実装されている端子ブロック６は、凹部２５０の内底面に形成されているブロック挿通孔２６０（図６参照）に挿通されていて、凹部２５０から露出している。なお、ブロック挿通孔２６０の周縁と端子ブロック６との間には防水パッキン（不図示）が設けられている。配線収容部２５１は、概ね、凹部２５０内における端子ブロック６が露出している領域以外の領域に相当する。
【０１０３】
凹部２５０が設けられていることで、接続線Ｌ１の端子ブロック６への配線接続の作業性が向上され、また、接続線Ｌ１が構造体と筐体２との間に挟まれてしまうといった事態の発生を低減できる。特に、本実施形態では、一対の第１貫通孔２１の開口領域の全体が、凹部２５０内に配置されている。そのため、配線接続の作業性が更に向上され、また、筐体２の背面側における第１貫通孔２１の周縁と、第１構造体２００Ａのねじ孔Ｈ１の周縁との間に、接続線Ｌ１が挟まるといった事態の発生を低減できる。なお、本実施形態では、一例として、第１貫通孔２１の開口領域の全体が凹部２５０内に配置されているが、その一部だけが凹部２５０内に配置されていてもよい。要するに、第１貫通孔２１は、その孔の中心が例えば凹部２５０の開口縁（境目）に概ね位置するように貫通していて、第１貫通孔２１の開口領域の一部が凹部２５０内に、残りが凹部２５０外に配置されてもよい。
【０１０４】
ところで、本実施形態の一対の第１貫通孔２１のうち第１貫通孔２１Ａは、図１０に示すように、ダルマ形状の貫通孔である。つまり、第１貫通孔２１Ａは、第１の径を有した第１孔部２１Ｃと、第１孔部２１Ｃとつながって形成されていて第１の径よりも小さい第２の径を有した第２孔部２１Ｄと、を有している。第１孔部２１Ｃ及び第２孔部２１Ｄは、第１孔部２１Ｃが下側に、第２孔部２１Ｄが上側にそれぞれ位置するように、上下方向に並んでいる。そのため、例えば、構造体に対して先にねじを取り付けて、それから、配線接続等の作業を行いながらそのねじを径の大きい第１孔部２１Ｃに通すことで、インターホン装置１を引っ掛けることができる。また、配線接続等の作業後には、第２孔部２１Ｄを通じて、筐体２を構造体に固定（本締め）することができる。したがって、施工性の向上を更に図ることができる。
【０１０５】
（２．５）化粧パネル
化粧パネル５は、図２Ａ、図４及び図５に示すように、全体として上下方向に長尺となっている。また、化粧パネル５は、図５に示すように、背面が開放された、へん平な矩形箱状である。化粧パネル５は、例えば合成樹脂等の材料によって形成されている。
【０１０６】
化粧パネル５は、図４に示すように、その前面において、それぞれ、化粧パネル５をその厚み方向に貫通する第１窓５１及び第２窓５２を有している。第１窓５１は、カバー２Ａの第１突出台２１０を化粧パネル５の外部に露出するように構成されている。また、第２窓５２は、カバー２Ａの露出孔２１５から露出している操作部３３の操作部材３３０を、更に化粧パネル５の外部に露出するように構成されている。インターホン装置１を前後方向から見たときに、第１窓５１は、基板４の第１領域４５１の投影領域内に配置され、第２窓５２は、基板４の第３領域４５３の投影領域内に配置されている。
【０１０７】
また、化粧パネル５は、図４に示すように、その前面において、それぞれ、化粧パネル５をその厚み方向に貫通する複数のスリット５３（図示例では９つ）を有している。複数のスリット５３は、各々の長手方向が上下方向に沿うように、左右方向に沿って並んでいる。複数のスリット５３は、カバー２Ａの通音口２１６の前方に配置されており、通音口２１６から出るスピーカ９０の音声を、化粧パネル５の外部に通す。複数のスリット５３は、インターホン装置１を前後方向から見たときに、基板４の第２領域４５２の投影領域内に配置されている。
【０１０８】
上の「（２．４．２）カバー」の欄で説明したように、化粧パネル５は、その背面において、６つの係止爪５５（図５参照）を有しており、カバー２Ａの６つの係止溝２４０（図１及び図４参照）に対してそれぞれ一対一に係止する。また、化粧パネル５は、その背面の下部において、爪片５６（図２Ｂ及び図５参照）を有している。各係止爪５５がカバー２Ａの対応する係止溝２４０に係止し、爪片５６がカバー２Ａの窪み部２０５内に差し込まれた状態で、ねじ２Ｄを、爪片５６の切り欠き溝５７に通し、ねじ孔２４６（図９参照）にねじ込むことで化粧パネル５がカバー２Ａに組み付けられる。
【０１０９】
（２．６）構造体への取付作業
以下、本実施形態のインターホン装置１を、構造物に取り付ける際の作業手順について、図９〜図１１を参照しながら説明する。図９では、構造物は、第１構造体２００Ａ（１個用スイッチボックス）である。図１０では、構造物は、第２構造体２００Ｂ（２個用スイッチボックス）である。図１１では、構造物は、第３構造体２００Ｃ（３個用スイッチボックス）である。以下では、インターホン装置１は、予め化粧パネル５が取り外された状態であることを想定して説明する。なお、以下の作業手順は、単なる一例であり、特に限定されるものではない。
【０１１０】
まず、インターホン装置１を第１構造体２００Ａに取り付ける場合について、図９を参照しながら説明する。第１構造体２００Ａは、合計２つのねじ孔Ｈ１を有しており、その一対のねじ孔Ｈ１が上下方向に沿って並ぶように壁面５００に埋め込まれている。
【０１１１】
インターホン装置１を施工する施工者（以下、単に施工者と呼ぶ）は、まず、ねじ２Ｇを第１構造体２００Ａにおける一対のねじ孔Ｈ１のうち上側のねじ孔Ｈ１に軽く取り付ける（仮止め）。施工者は、第１構造体２００Ａ内から導出されている複数の接続線Ｌ１（図１参照）を、筐体２の背面における凹部２５０内で露出している端子ブロック６の複数の端子にそれぞれ接続する。施工者は、下方に弛んだ状態の接続線Ｌ１が束となってスイッチボックス内と配線収容部２５１内とに収まるように、接続線Ｌ１の配線を行いながら、ねじ孔Ｈ１のねじ２Ｇを、第１貫通孔２１Ａの径の大きい第１孔部２１Ｃに通すことで、筐体２を引っ掛ける。このとき、施工者は、第１孔部２１Ｃを用いて、筐体２を上下、及び左右方向にある程度動かしながら配線を行うことができる。
【０１１２】
そして、施工者は、配線作業を終えると、仮止め状態のねじ２Ｇが、径の小さい第２孔部２１Ｄに嵌まるように筐体２を移動させる。また、施工者は、別のねじ２Ｇを、第１貫通孔２１Ｂに通し、下側のねじ孔Ｈ１に軽くねじ止めする（仮止め）。最後に、施工者は、左右方向に長い第１貫通孔２１Ｂを用いて筐体２下部の左右の位置を微調整し、２本のねじ２Ｇを本締めする。その結果、インターホン装置１の取付作業が完了する。
【０１１３】
本実施形態では、各通し孔４１が、筐体２の厚み方向から見たときに、筐体２の対応する第１貫通孔２１の開口領域の少なくとも一部と重なっている。そのため、例えば筐体２の上下の長さ寸法、左右の幅寸法よりも比較的小さい第１構造体２００Ａに対して、特許文献１のような取付台を用いなくても、第１貫通孔２１及び通し孔４１を通して、インターホン装置１を直接的にねじ止めすることができる。言い換えれば、第１貫通孔２１の配置場所が、例えば基板４の周囲の領域に限定されることがないため、構造体への固定の自由度が増していると言える。したがって、構造体に対する施工性の向上を図ることができる。
【０１１４】
また、筐体２の背面に配線収容部２５１が設けられていて、一対の第１貫通孔２１も、この配線収容部２５１内にある。そのため、ねじ２Ｇの本締めの際に、接続線Ｌ１が筐体２の背面と、第１構造体２００Ａの開口縁との間に挟まってしまって断線するといった事態の発生を低減できる。特に、筐体２の背面側における第１貫通孔２１の周縁と、第１構造体２００Ａのねじ孔Ｈ１の周縁との間に、接続線Ｌ１が挟まるといった事態の発生を低減できる。
【０１１５】
次に、インターホン装置１を第２構造体２００Ｂに取り付ける場合について、図１０を参照しながら説明する。第２構造体２００Ｂは、合計４つのねじ孔を有している。第２構造体２００Ｂは、４つのねじ孔のうち、上側の一対のねじ孔Ｈ２が左右方向に並ぶように、下側の一対のねじ孔Ｈ３が左右方向に並ぶように壁面５００に埋め込まれている。
【０１１６】
施工者は、第２構造体２００Ｂ内から導出されている接続線（不図示）を、筐体２の背面における凹部２５０内で露出している端子ブロック６の複数の端子にそれぞれ接続する。そして、施工者は、筐体２の４つの第２貫通孔２２のうち、例えば左上の第２貫通孔２２にねじ２Ｇを通し、左上のねじ孔Ｈ２に軽くねじ止めする（仮止め）。
【０１１７】
この仮止め状態で、施工者は、接続線がスイッチボックス内と配線収容部２５１内とに収まるように、接続線の配線位置の調整を行う。このとき、第２貫通孔２２が長孔であるため、施工者は、第２貫通孔２２の長手方向に沿って筐体２をある程度動かしながら配線を行うことができる。
【０１１８】
施工者は、別の３本のねじ２Ｇも、残りの第２貫通孔２２に通し、対応する残りのねじ孔Ｈ２、及び一対のねじ孔Ｈ３に軽くねじ止めする（仮止め）。最後に、施工者は、筐体２の位置を微調整し、４本のねじ２Ｇを本締めする。その結果、インターホン装置１の取付作業が完了する。
【０１１９】
最後に、インターホン装置１を第３構造体２００Ｃに取り付ける場合について、図１１を参照しながら説明する。第３構造体２００Ｃは、合計６つのねじ孔を有している。第３構造体２００Ｃは、６つのねじ孔のうち、上側の一対のねじ孔Ｈ４が左右方向に、真ん中の一対のねじ孔Ｈ５が左右方向に、下側の一対のねじ孔Ｈ６が左右方向に、それぞれ並ぶように壁面５００に埋め込まれている。なお、インターホン装置１の取付けにおいて、真ん中の一対のねじ孔Ｈ５は、不使用である。
【０１２０】
施工者は、第３構造体２００Ｃ内から導出されている接続線（不図示）を、筐体２の背面における凹部２５０内で露出している端子ブロック６の複数の端子にそれぞれ接続する。そして、施工者は、筐体２の４つの第３貫通孔２３のうち、例えば左上の第３貫通孔２３にねじ２Ｇを通し、左上のねじ孔Ｈ４に軽くねじ止めする（仮止め）。
【０１２１】
この仮止め状態で、施工者は、接続線Ｌ１がスイッチボックス内と配線収容部２５１内とに収まるように、接続線の配線位置の調整を行う。このとき、第３貫通孔２３が長孔であるため、施工者は、第３貫通孔２３の長手方向に沿って筐体２をある程度動かしながら配線を行うことができる。
【０１２２】
施工者は、別の３本のねじ２Ｇも、残りの第３貫通孔２３に通し、対応する残りのねじ孔Ｈ４、及び一対のねじ孔Ｈ６に軽くねじ止めする（仮止め）。最後に、施工者は、筐体２の位置を微調整し、４本のねじ２Ｇを本締めする。その結果、インターホン装置１の取付作業が完了する。
【０１２３】
ところで、レーストラック形状の第１貫通孔２１Ｂの開口形状は、図１２で示すように、ダルマ形状の第１貫通孔２１Ａの貫通方向（前後方向）から見たときに、第２孔部２１Ｄの中心Ｐ１を回転軸とした回転軌道Ｒ１に沿って湾曲している。したがって、一対の貫通孔２１を用いて第１構造体２００Ａに筐体２を仮止め状態のとき、施工者は、筐体２を、中心Ｐ１を回転軸として回転軌道Ｒ１に沿って変位させて微調整を行うことができる。そのため、施工性の向上を更に図ることができる。
【０１２４】
（２．７）スイッチボックスとの寸法関係
本実施形態の一対の第１貫通孔２１は、図９に示すように、第１方向（上下方向）において、互いに所定の距離Ｄ１を空けて配置されている。
【０１２５】
また、４つの第２貫通孔２２のうち上側の一対の第２貫通孔２２は、図１０に示すように、第１方向（上下方向）と直交する第２方向（左右方向）において、互いに所定の距離Ｄ１（すなわち一対の第１貫通孔２１間の距離と同じ）を空けて配置されている。同じく、下側の一対の第２貫通孔２２も、互いに所定の距離Ｄ１を空けて配置されている。
【０１２６】
さらに、４つの第３貫通孔２３のうち上側の一対の第３貫通孔２３は、図１１に示すように、第２方向（左右方向）において、互いに所定の距離Ｄ１（すなわち一対の第１貫通孔２１間の距離と同じ）を空けて配置されている。同じく、下側の一対の第３貫通孔２３も、互いに所定の距離Ｄ１を空けて配置されている。
【０１２７】
そして、この所定の距離Ｄ１は、１個用スイッチボックスである第１構造体２００Ａの一対のねじ孔Ｈ１間の距離（例えば８３．５ｍｍ）に略等しいように、寸法関係が規定されている。また、所定の距離Ｄ１は、２個用スイッチボックスである第２構造体２００Ｂの一対のねじ孔Ｈ２間の距離、並びに、一対のねじ孔Ｈ３間の距離に略等しい。さらに、所定の距離Ｄ１は、３個用スイッチボックスである第３構造体２００Ｃの一対のねじ孔Ｈ４間の距離、並びに、一対のねじ孔Ｈ６間の距離に略等しい。したがって、インターホン装置１は、特許文献１のように取付台を用いなくても、１個用〜３個用スイッチボックスに対して選択的に取り付けることができる。
【０１２８】
（３）変形例
以下に、いくつかの変形例について列記する。以下では上述した実施形態を「基本例」と呼ぶ。
【０１２９】
基本例では、第１貫通孔２１Ａ、２１Ｂの周縁を補強するため、また防水のために、筒状体２１７、２１８、２５４、２５５が設けられている。しかし、筐体２において、これらの筒状体２１７、２１８、２５４、２５５は、必須の構成要素ではなく、設けられていなくてもよい。
【０１３０】
基本例では、各第１貫通孔２１は、図８に示すように、カバー孔２１００とベース孔２１０１とが合わさって構成されている。しかし、このような構成に限定されない。例えば、各第１貫通孔２１は、ベース孔２１０１のみから構成されてもよい。つまり、第１構造体２００Ａへの取付けは、化粧パネル５及びカバー２Ａを取り外した状態で、ねじ２Ｇを、基板４の前方から通し孔４１及びベース孔２１０１に通して、第１構造体２００Ａのねじ孔Ｈ１にねじ止めされてもよい。
【０１３１】
基本例では、第１構造物２００Ａが１個用のスイッチボックスであることを想定しているため、第１貫通孔２１の数と通し孔４１の数は、それぞれ２つずつである。しかし、第１貫通孔２１及び通し孔４１の数は、それぞれ、２つずつに限定されず、１つずつでもよいし、３つずつ以上であってもよい。ただし、第１貫通孔２１と通し孔４１の数は、互いに同じことが好ましい。
【０１３２】
基本例では、基板４の通し孔４１は、前後方向から見たときに、基板４の上下及び左右の縁とは繋がっていない、独立した（閉じた）孔である。しかし、このような構成に限定されない。つまり、通し孔４１は、例えば基板４の右縁から切り欠かれた細いスリットによって繋がって（連通して）、通し孔４１が部分的に開放されていてもよい。
【０１３３】
（４）利点
以上説明したように、第１の態様に係るインターホン装置（１）は、筐体（２）と、通話部（３）と、基板（４）と、を備える。通話部（３）は、他の通話装置（１０）と通話を行う。基板（４）は、筐体（２）の内部に配置される。基板（４）には、通話部（３）を構成する回路部品（４０）の少なくとも一部が実装される。筐体（２）は、筐体（２）を構造体（第１構造体２００Ａ）に固定するための貫通孔（第１貫通孔２１）を有している。基板（４）は、その厚み方向（前後方向）に貫通する通し孔（４１）を有している。通し孔（４１）は、上記厚み方向から見たときに、貫通孔（第１貫通孔２１）の開口領域の少なくとも一部と重なっている。
【０１３４】
第１の態様によれば、基板（４）が通し孔（４１）を有している。そのため、例えば筐体（２）よりも比較的小さい第１構造体（２００Ａ）に対しても、特許文献１のような取付台を用いなくても、第１貫通孔（２１）及び通し孔（４１）を通して、インターホン装置（１）を直接的にねじ止めすることができる。したがって、第１構造体（２００Ａ）に対する施工性の向上を図ることができる。
【０１３５】
第２の態様に係るインターホン装置（１）に関して、第１の態様において、筐体（２）は、上記貫通孔である第１貫通孔（２１）に加えて、第２貫通孔（２２又は２３）を、更に有していることが好ましい。第２貫通孔（２２又は２３）は、筐体（２）を上記構造体である第１構造体（２００Ａ）とは別の第２構造体（２００Ｂ）に固定するための貫通孔である。第２の態様によれば、更に多くの構造体に対して、特許文献１のような取付台を用いなくても固定可能とすることができる。
【０１３６】
第３の態様に係るインターホン装置（１）に関して、第２の態様において、筐体（２）は、第１貫通孔（２１）を一対、第２貫通孔（２２又は２３）を一対、それぞれ有していることが好ましい。一対の第１貫通孔（２１：２１Ａ，２１Ｂ）は、第１方向（上下方向）において、互いに所定の距離（Ｄ１）を空けて配置されていることが好ましい。また、一対の第２貫通孔（２２又は２３）は、第１方向（上下方向）と直交する第２方向（左右方向）において、互いに所定の距離（Ｄ１）を空けて配置されていることが好ましい。
【０１３７】
第３の態様によれば、例えば、１個用スイッチボックスに相当する第１構造体（２００Ａ）に対しては、一対の第１貫通孔（２１：２１Ａ，２１Ｂ）を通じて、インターホン装置（１）をねじ止めすることができる。また、例えば、２個用（又は３個用）スイッチボックスに相当する第２構造体（２００Ｂ）に対しては、一対の第２貫通孔（２２又は２３）を通じて、インターホン装置（１）をねじ止めすることができる。
【０１３８】
第４の態様に係るインターホン装置（１）に関して、第２又は第３の態様において、筐体（２）は、第３貫通孔（２２又は２３）を更に有していることが好ましい。第３貫通孔（２２又は２３）は、筐体（２）を第１構造体（２００Ａ）及び第２構造体（２００Ｂ）とは別の第３構造体（２００Ｃ）に固定するための貫通孔である。第４の態様によれば、更に多くの構造体に対して、特許文献１のような取付台を用いなくても固定可能とすることができる。
【０１３９】
第５の態様に係るインターホン装置（１）に関して、第２〜第４の態様のいずれか１つにおいて、第２貫通孔（２２又は２３）は、基板（４）の周囲の領域に配置されていることが好ましい。第５の態様によれば、例えば、第２構造体（２００Ｂ）が第１構造体２００Ａよりも大きい場合にも、固定可能とすることができる。
【０１４０】
第６の態様に係るインターホン装置（１）に関して、第１〜第５の態様のいずれか１つにおいて、筐体（２）は、第１貫通孔（２１）を複数有することが好ましい。複数の第１貫通孔（２１）のうち少なくとも１つは、ダルマ形状の貫通孔（第１貫通孔２１Ａ）であることが好ましい。ダルマ形状の第１貫通孔（２１Ａ）は、第１の径を有した第１孔部（２１Ｃ）と、第１孔部（２１Ｃ）とつながって形成されていて第１の径よりも小さい第２の径を有した第２孔部（２１Ｄ）と、を有していることが好ましい。第６の態様によれば、例えば、構造体に対して先にねじを取り付けて、それから、配線接続等の作業を行いながらそのねじを径の大きい第１孔部（２１Ｃ）に通すことで、インターホン装置（１）を引っ掛けることができる。また、配線接続等の作業後には、第２孔部（２１Ｄ）を通じて固定（本締め）することができる。したがって、施工性の向上を更に図ることができる。
【０１４１】
第７の態様に係るインターホン装置（１）に関して、第６の態様において、複数の貫通孔（第１貫通孔２１）のうち、ダルマ形状の第１貫通孔（２１Ａ）以外の少なくとも１つの貫通孔（第１貫通孔２１Ｂ）は、次のような形状であることが好ましい。第１貫通孔（２１Ｂ）は、ダルマ形状の第１貫通孔（２１Ａ）の貫通方向から見たときに、第２孔部（２１Ｄ）の中心を回転軸とした回転軌道（Ｒ１）に沿って延びている形状であることが好ましい。第７の態様によれば、施工性の向上を更に図ることができる。
【０１４２】
第８の態様に係るインターホン装置（１）に関して、第１〜第７の態様のいずれか１つにおいて、筐体（２）は、第１構造体（２００Ａ）と対向する側の一面（背面）において、凹部（２５０）を有していることが好ましい。凹部（２５０）は、第１貫通孔（２１）の周囲に、第１構造体（２００Ａ）から離れる向きに凹んでいることが好ましい。凹部（２５０）には、配線接続用の端子（端子ブロック６）、及び配線を収容するための配線収容部（２５１）が設けられていることが好ましい。第８の態様によれば、配線接続の作業性が向上され、また、配線（接続線Ｌ１）が構造体と筐体（２）との間に挟まれてしまうといった事態の発生を低減することができる。
【０１４３】
第９の態様に係るインターホン装置（１）に関して、第８の態様において、第１貫通孔（２１）の開口領域のうち少なくとも一部は、凹部（２５０）内に配置されていることが好ましい。第９の態様によれば、配線接続の作業性が更に向上され、また、配線（接続線Ｌ１）が挟まれてしまうといった事態の発生を更に低減することができる。特に、筐体（２）の背面側における第１貫通孔（２１）の周縁と、第１構造体（２００Ａ）のねじ孔（Ｈ１）の周縁との間に、接続線（Ｌ１）が挟まるといった事態の発生を低減できる。
【０１４４】
第１０の態様に係るインターホンシステム（１００）は、第１〜第９の態様のいずれか１つのインターホン装置（１）と、インターホン装置（１）と通話可能な通話装置（１０）と、を備える。第１０の態様によれば、構造体（第１構造体２００Ａ）に対する施工性の向上を図ることができるインターホン装置（１）を備えたインターホンシステム（１００）を提供できる。
【符号の説明】
【０１４５】
１  インターホン装置
２  筐体
２１、２１Ａ、２１Ｂ  第１貫通孔（貫通孔）
２１Ｃ  第１孔部
２１Ｄ  第２孔部
２２  第２貫通孔
２３  第３貫通孔
２５０  凹部
２５１  配線収容部
３  通話部
４  基板
４０  回路部品
４１  通し孔
６  端子ブロック（端子）
１０  通話装置
１００  インターホンシステム
２００Ａ  第１構造体（構造体）
２００Ｂ  第２構造体
２００Ｃ  第３構造体
Ｄ１  所定の距離
Ｒ１  回転軌道
【図１】
2019087899.tif 000003
【図２】
2019087899.tif 000004
【図３】
2019087899.tif 000005
【図４】
2019087899.tif 000006
【図５】
2019087899.tif 000007
【図６】
2019087899.tif 000008
【図７】
2019087899.tif 000009
【図８】
2019087899.tif 000010
【図９】
2019087899.tif 000011
【図１０】
2019087899.tif 000012
【図１１】
2019087899.tif 000013
【図１２】
2019087899.tif 000014
【図１３】
2019087899.tif 000015